(57)【要約】【課題】ユーザの嗜好に合った番組を効率よく録画できるようにする録画装置を提供する。【解決手段】第２の録画予約手段は、検索条件に該当する番組のうち、第１の録画予約の候補でない第１の番組から優先して録画予約し、第１の番組の録画予約にかかる設定が行われた後、検索条件に該当する番組であって、第１の録画予約の対象となる第２の番組の録画予約が可能であれば、前記第２の番組を録画予約する。【選択図】図３
2015204500.tif 000002
【特許請求の範囲】
【請求項１】
チューナー部と、
記録部と、
前記チューナー部により受信される番組を前記記録部に常時録画する第１の録画予約を設定する第１の録画予約手段と、
ユーザにより入力された検索条件を用いた検索結果をもとに番組を前記記録部に録画する第２の録画予約を設定する第２の録画予約手段と、を有し、
前記第２の録画予約手段は、
前記検索条件に該当する番組のうち、前記第１の録画予約の候補でない第１の番組から優先して録画予約し、
前記第１の番組の録画予約にかかる設定が行われた後、前記検索条件に該当する番組であって、前記第１の録画予約の対象となる第２の番組の録画予約が可能であれば、前記第２の番組を録画予約する、ことを特徴とする録画装置。
【請求項２】
前記第１の録画予約では、録画対象番組を一定期間、前記記録部に記録し、
前記第２の録画予約では、録画対象番組を永続的に前記記録部に記録する、ことを特徴とする請求項１に記載の録画装置。
【請求項３】
前記第２の録画予約手段は、前記第２の番組を前記第２の録画予約で録画する場合、前記第２の番組の情報量を減少させるよう録画予約を行う、ことを特徴とする請求項１または請求項２のいずれかに記載の録画装置。
【請求項４】
前記検索条件に該当する前記第２の番組が所定数を超える場合、前記第１の録画予約または前記第２の録画予約の録画条件の変更を通知する通知手段、を有することを特徴とする請求項１から請求項３のいずれか一項に記載の録画装置。
【請求項５】
前記第２の録画予約手段は、変更後の前記第１の録画予約をもとに、前記第１の番組と前記第２の番組とを録画予約する、ことを特徴とする請求項４に記載の録画装置。
【請求項６】
前記第２の録画予約手段は、前記第１の録画予約により前記記録部に録画された番組の中から、前記検索条件に該当する番組を検索し、
検索された前記第１の番組を、前記第２の録画予約により録画された番組として保存する、ことを特徴とする請求項１から請求項５のいずれか一項に記載の録画装置。
【請求項７】
前記第２の番組の前記第２の録画予約での録画が不可能であれば、前記第１の録画予約手段は、前記第２の番組を、前記第２の録画予約の録画条件で録画するよう録画予約する、ことを特徴とする請求項１から請求項６のいずれか一項に記載の録画装置。
【発明の詳細な説明】
【技術分野】
【０００１】
本発明は、録画装置に関する。
【背景技術】
【０００２】
従来、録画装置では、放送時刻、放送チャンネルといった録画条件で個別の番組を特定して録画を行うことができる。また、このような個別の番組を録画する機能とは別に、チャンネルや時間帯といった条件をもとに該当する複数の番組を録画し続ける機能が知られている。このような録画機能は、タイムシフト機能、ループ録画機能、全録等の呼び名で呼ばれている（例えば、特許文献１参照）。
【０００３】
また、ユーザが番組を特定するための検索条件を入力すると、入力された検索条件に該当する番組を検索し、該当する番組を録画予約する録画機能も知られている。例えば、検索条件は、『ジャンル』や『出演者』等の番組を特定するための条件である。
【先行技術文献】
【特許文献】
【０００４】
【特許文献１】特開２００４−３１２４９４号公報
【発明の概要】
【発明が解決しようとする課題】
【０００５】
異なる録画機能を併用する場合、検索によって録画予約された番組と、他の録画機能により録画予約された番組とが同じ番組であっても、それぞれの番組を録画予約していた。そのため、録画予約数や記録部の容量に制限があると、おまかせ録画の対象として検索されたものであっても、録画できない場合があった。
【０００６】
本発明は、上記課題にかんがみてなされたもので、ユーザの嗜好に合った番組を効率よく録画できるようにする録画装置を提供することを目的とする。
【課題を解決するための手段】
【０００７】
・適用例１
上記課題を解決するために、本発明の一態様では、チューナー部と、記録部と、前記チューナー部により受信される番組を前記記録部に常時録画する第１の録画予約を設定する第１の録画予約手段と、ユーザにより入力された検索条件を用いた検索結果をもとに番組を前記記録部に録画する第２の録画予約を設定する第２の録画予約手段と、を有し、前記第２の録画予約手段は、前記検索条件に該当する番組のうち、前記第１の録画予約の候補でない第１の番組から優先して録画予約し、前記第１の番組の録画予約にかかる設定が行われた後、前記検索条件に該当する番組であって、前記第１の録画予約の対象となる第２の番組の録画予約が可能であれば、前記第２の番組を録画予約する。
ここで、『番組』とは、番組にかかるデータを含む概念である。また、『録画予約が可能』とは、第２の録画予約における録画を可能とする条件を意味し、例えば、記録容量の残量や、録画に使用するチューナーの使用状況等を意味する。
【０００８】
上記のように構成された発明では、第２の録画予約手段は、検索条件に該当する番組のうち、第１の録画予約で録画予約されていない第１の番組から優先して録画予約を行う。そして、第１の番組の録画予約にかかる設定が行われた後、検索条件に該当する番組であって、第１の録画予約で録画予約されている第２の番組に対して、録画予約が可能であれば、第２の番組を録画予約する。
そのため、第１の録画予約と第２の録画予約とで同じ番組が重複して録画予約される場合に、第２の録画予約のみの対象となる番組の録画予約を優先させることができ、ユーザの嗜好に合った番組を効率よく録画することができる。
【０００９】
・適用例２
本発明の一態様では、前記第１の録画予約では、録画対象番組を一定期間、前記記録部に記録し、前記第２の録画予約では、録画対象番組を永続的に前記記録部に記録する。
上記のように構成された発明では、ユーザの嗜好を反映させた第２の録画予約で検索した番組がループ録画のみで録画されてしまうことで、所定期間の経過後に消去されてしまうのを抑制することができる。
【００１０】
・適用例３
本発明の一態様では、前記第２の録画予約手段は、前記第２の番組を前記第２の録画予約で録画する場合、前記第２の番組の情報量を減少させるよう録画予約を行う。
上記のように構成された発明では、第１の録画予約と第２の録画予約とで重複して録画される番組の情報量を減少させることで、記録部の容量を効率よく使用することが可能となる。
【００１１】
・適用例４
本発明の一態様では、前記検索条件に該当する前記第２の番組が所定数を超える場合、前記第１の録画予約または前記第２の録画予約の録画条件の変更を通知する通知手段、を有する。
上記のように構成された発明では、第１の録画予約と第２の録画予約とで重複する番組が多い場合に、ユーザに録画予約の変更を促すことが可能となる。
【００１２】
・適用例５
本発明の一態様では、前記第２の録画予約手段は、変更後の前記第１の録画予約をもとに、前記第１の番組と前記第２の番組とを録画予約する。
上記のように構成された発明では、変更後の録画条件により、再度、本発明の機能を適用することが可能となる。
【００１３】
・適用例６
本発明の一態様では、前記第２の録画予約手段は、前記第１の録画予約により前記記録部に録画された番組の中から、前記検索条件に該当する番組を検索し、検索された前記第１の番組を、前記第２の録画予約により録画された番組として保存する。
上記のように構成された発明では、すでに録画された番組においても本発明の対象とすることができる。
【００１４】
・適用例７
前記第２の番組の前記第２の録画予約での録画が不可能であれば、前記第１の録画予約手段は、前記第２の番組を、前記第２の録画予約の録画条件で録画するよう録画予約する。
上記のように構成された発明では、第２の録画予約で録画できない番組が存在する場合でも、この第２の録画予約の条件で第１の録画予約を行うことで、この番組をユーザが所望する画質で保存することができる。
【図面の簡単な説明】
【００１５】
【図１】録画装置の外観図。
【図２】録画装置のハードウェア構成を示すブロック構成図。
【図３】システムコントローラ３０の機能と、ハードウェアとの関係を説明するブロック構成図。
【図４】第２の録画予約手段３０２により実行されるおまかせ録画を説明するフローチャートであある。
【図５】録画予約時に表示装置５０に表示される予約設定画面２５０を示す図である。
【図６】検索条件に合致した番組群を記録する録画候補番組表を示す図である。
【図７】一例としてステップＳ３において実行される処理を説明するフローチャートである。
【図８】第２の実施形態において、一例としてステップＳ３において実行される処理を説明するフローチャートである。
【図９】ステップＳ１３９において画面に表示される通知画面を示す図である。
【図１０】第３の実施形態において、第２の録画予約手段３０２により実行されるおまかせ録画を説明するフローチャートである。
【図１１】ステップＳ１０４において、検索条件に合致した番組群を記録する録画候補番組表を示す図である。
【図１２】第５の実施形態において、システムコントローラ３０が実行する処理を示すフローチャートである。
【発明を実施するための形態】
【００１６】
以下、下記の順序に従って本発明の実施形態を説明する。
１．第１の実施形態：
（１）録画装置の構成
（２）おまかせ録画予約
２．第２の実施形態：
３．第３の実施形態：
４．第４の実施形態：
５．その他の実施形態：
【００１７】
１．第１の実施形態：
（１）録画装置の構成
図１は、録画装置の外観図である。
録画装置１０は、図示しないアンテナに接続されており、このアンテナが受信したテレビジョン放送から所望の番組（番組データ）を抽出し録画を行う。また、録画装置１０は、テレビジョン受像機等の表示装置５０と接続しており、録画された番組を表示装置５０に出力することができる。また、録画装置１０は、録画機能として、通常録画、おまかせ録画、ループ録画の各録画機能を備えている。
【００１８】
図２は、録画装置のハードウェア構成を示すブロック構成図である。録画装置１０は、チューナー部１１、エンコーダー１２、録画再生制御部１３、番組表処理部１４、デコーダー１５、通信Ｉ/Ｆ１６、記録用メモリ２０、システムコントローラ３０、リモコン受信部１７と、を備える。
【００１９】
チューナー部１１は、図示しないアンテナで受信されたテレビジョン放送から所望のチャンネルに対応する番組のデータを抽出する。また、図２ではチューナー部１１は、複数のチューナー１１＿１〜１１＿Ｎを備えている。ここで、チューナー１１＿１は、通常録画、おまかせ録画に用いられる。また、チューナー１１＿２〜チューナー１１＿Ｎはループ録画に用いられる。
なお、図２では、通常録画、および、おまかせ録画に用いられるチューナーを１つとして記載しているが、これに限定されず、複数のチューナーを用いるものであってもよい。また、チューナーは地上デジタル放送や、衛生放送（ＢＳ）、ケーブル放送（ＣＳ）のそれぞれの放送波から所定のチャンネルに対応する情報を抽出することができる。
【００２０】
チューナー部１１の出力側には、エンコーダー１２が接続されている。エンコーダー１２は、チューナー１１＿１〜１１＿Ｎから出力されるＴＳパケット化された放送信号を記録用メモリ２０のフォーマットに応じて変換し、録画再生制御部１３に出力する。以下、記録用メモリに記録（録画）された番組を録画データ、録画番組とも記載する。また、エンコーダー１２は、入力された放送信号からＳＤＴ（Service Description Table）やＥＩＴ（Event Information Table）を分離する。
【００２１】
録画再生制御部１３は、エンコーダー１２によって出力された番組データの録画や再生を制御する。また、この録画再生制御部１３には、ループ録画時における番組データの録画を制御する機能と、通常録画およびおまかせ録画時における番組データの録画を制御するＰＶＲ記録制御部１３２、再生部１３３と、を有する。
【００２２】
ループ記録制御部１３１は、チューナー１１＿２〜１１＿Ｎから出力される番組データにファイル管理用の情報を付与し、記録用メモリ２０のループ録画用の記録領域（ループ記録領域２０１とも記載する）に記録する。ループ記録領域２０１には、チャンネル毎に、記録先のセクタが割当てられている。また、番組データは、ループ記録領域２０１の該当するセクタの先頭アドレスから順に記録されていく。そして、番組データがループ記録領域２０１の該当チャンネル割当てられたセクタの終端まで記録が行われると、ループ記録制御部１３１は、セクタの先頭アドレスに戻り、記録を繰返す。そのため、ループ記録領域２０１に記録される番組データは、あるタイミングで上書きされるため、永続的に記録されない。
【００２３】
ＰＶＲ記録制御部１３２は、通常の録画方式である通常録画、またはおまかせ録画で録画された番組データを記録用メモリ２０のＰＶＲ録画用の記録領域（ＰＶＲ記録領域２０２とも記載する）に記録する。おまかせ録画では、チューナー１１＿１により抽出された番組データにファイル管理用の情報を付与し、記録用メモリ２０のＰＶＲ記録領域２０２に記録する。ＰＶＲ記録領域２０２に記録された録画データは、システムコントローラ３０からの消去命令が入力されるまで、記録が保持される。
【００２４】
また、録画データは、この録画データの情報を記録する管理テーブルとともにファイル形式で記録される。管理テーブルは、録画データの番組情報、番組データの情報量、番組データが記録されている記録用メモリ２０上での位置等が記録される。番組情報は、チャンネルの番号を示すチャンネル番号、番組タイトル、録画時間、録画日時、番組の内容、を含んでおり、エンコーダー１２により分離されたＥＩＴをもとに作成される。
【００２５】
再生部１３３は、システムコントローラ３０から再生指示の入力を受けると、管理テーブルをもとに、再生指示を受けた番組データをループ記録領域２０１またはＰＶＲ記録領域２０２から読み出し、デコーダー１５に出力する。
【００２６】
デコーダー１５は、録画再生制御部１３から入力する録画データにＭＰＥＧデコード処理を施す。また、デコーダー１５は、通信Ｉ／Ｆ１６を通じて表示装置５０と接続されている。そのため、デコーダー１５によりデコードされた録画データは、通信Ｉ／Ｆ１６を通じて表示装置５０に出力される。
【００２７】
記録用メモリ２０は、録画再生制御部１３およびシステムコントローラ３０からアクセス可能に接続されている。記録用メモリ２０は、ＨＤＤ、ＳＳＤ、ブルーレイディスク（ブルーレイは登録商標）またはＤＶＤ等の記録メディア、である。
【００２８】
番組表処理部１４は、エンコーダー１２から出力されるＥＩＴをもとに、電子番組表を作成する。電子番組表には、未来番組表と、過去番組表と、が含まれる。未来番組表は、ＴＳに含まれるＥＩＴにより作成され、放送時間（または日時）が経過すると消去される。過去番組表は、ループ録画を行う場合に、このループ録画の対象となる番組毎に作成される。この過去番組表には、番組の属性を示す属性情報と、番組が録画された場所を示す管理情報とを記録している。属性情報は、番組情報をもとに作成され、録画データのチャンネル番号、録画時刻、番組タイトル、番組内容等が記録される。管理情報は、録画番組の記録用メモリ２０での位置を示す情報が記録されている。そのため、ユーザがこの過去番組表を表示して、録画番組を選択することで、システムコントローラ３０から、録画再生制御部１３に対して、選択された番組の再生が命令される。
【００２９】
システムコントローラ３０は、録画装置１０の駆動を統合的に制御する。システムコントローラ３０は、リモコン受信部１７や図示しない操作パネルが接続されており、ユーザからの操作をこのリモコン受信部１７や操作パネルを通じて受付ける。
図３は、システムコントローラ３０の機能と、ハードウェアとの関係を説明するブロック構成図である。システムコントローラ３０は、図示しないＣＰＵ、ＲＯＭ、ＲＡＭ、フラッシュメモリ、を備えて構成されている。また、ＲＯＭには、ＣＰＵにハードウェアを制御させる機能や、ファイル管理を行なわせる機能を実現させるためのＯＳ（Operating system）や、所定のプログラムが記録されている。そのため、ＣＰＵがＲＯＭに記録されたＯＳやプログラムをＲＡＭに展開して実行することで、第１の録画予約手段３０１、第２の録画予約手段３０２、録画可能判定手段３０３と、を機能的に有する。
【００３０】
第１の録画予約手段３０１は、ループ録画にかかる録画予約を設定する。ループ録画では、チューナー１１＿２〜１１＿Ｎにより受信される番組をユーザにより設定された録画予約（第１の録画予約）により、常時録画することができる。例えば、ループ録画による録画予約は、フラッシュメモリに記録される。
【００３１】
第２の録画予約手段３０２は、おまかせ録画にかかる録画予約を設定する。おまかせ録画では、ユーザが設定した検索条件をもとに、チューナー１１＿１により受信される番組を録画予約する。例えば、第２の録画予約手段３０２は、検索条件により検索された番組をもとにおまかせ録画にかかる録画予約をフラッシュメモリに登録する。このとき、第２の録画予約手段３０２は、電子番組表をもとに検索された番組のうち、第１の録画予約手段３０１により録画予約されていない番組（第１の番組）を優先して録画予約する。その後、検索条件に該当する番組であって、第１の録画予約手段３０１で録画予約されている番組（第２の番組）に対して、録画予約が可能であれば、この番組を録画予約する。
【００３２】
録画可能判定手段３０３は、番組の録画予約の可能を判断する。すなわち、録画可能判定手段３０３は、第２の録画予約手段３０２により検索された番組が録画可能であるか否かを判断する。録画予約の可能の判断は、記録用メモリ２０の記録可能容量や、チューナーの使用状況に応じて判断する。
【００３３】
そして、第１の録画予約手段３０１または第２の録画予約手段３０２により設定された録画予約に従って、録画再生制御部１３は、番組を記録用メモリ２０に録画していく。
【００３４】
（２）おまかせ録画予約
次に、録画装置１０により実施されるおまかせ録画予約を説明する。
図４は、第２の録画予約手段３０２により実行されるおまかせ録画を説明するフローチャートであある。ここで、システムコントローラ３０が図４の処理を実行するに際し、ループ録画の録画条件はすでに設定されているものとする。図５は、録画予約時に表示装置５０に表示される予約設定画面２５０を示す図である。
【００３５】
ステップＳ１では、システムコントローラ３０（第２の録画予約手段３０２）は、おまかせ録画の予約設定画面を表示装置５０に表示させて、ユーザから検索条件の入力を受付ける。予約設定画面２５０は、システムコントローラ３０が電子番組表（未来番組表）から録画候補となる番組を検索するための検索条件をユーザに入力させるための画面である。図５に示すおまかせ録画の予約設定画面２５０では、検索条件である『キーワード』を入力させるキーワード入力用テキストボックス２５１〜２５３、検索条件である『ジャンル』を入力させるジャンル入力用テキストボックス２５４、が表示されている。また、上記した『キーワード』『ジャンル』に加えて、番組の録画先（ＨＤＤ等）を指定するアイコン２５５、録画モードを指定するアイコン２５６、が表示されている。
【００３６】
ステップＳ２では、システムコントローラ３０は、ステップＳ１において、予約設定画面２５０を用いて入力された検索条件をもとに電子番組表から該当する番組を検索する。すなわち、第２の録画予約手段３０２は、電子番組表に記録されている番組情報と検索条件とを比較し、比較結果に応じて番組を検索する。そして、検索された番組は録画候補番組表に記録する。
【００３７】
図６は、検索条件に合致した番組群を記録する録画候補番組表を示す図である。この録画候補番組表には、ステップＳ２において電子番組表をもとに検索された番組が記録されている。また、録画候補番組表には、各番組を識別するための『参照ＩＤ』、番組の情報である『属性情報』が記録されている。図６に示す録画候補番組表には、おまかせ録画の候補となる４つの番組（参照ＩＤ＝０〜３）が記録されている。また、各番組の『属性情報』には、『番組タイトル』、『放送チャンネル』、『放送時間』、『ジャンル』等が含まれる。ここで、『属性情報』は、電子番組表の該当番組の欄に記録された属性情報が記録されている。
【００３８】
ステップＳ３では、システムコントローラ３０は、ステップＳ２で抽出した番組の中から、第１の番組と、第２の番組とをそれぞれ特定する。この第１の実施形態では、検索条件により検索された番組のうち、ループ録画（第１の録画予約手段３０１）で録画予約されていない番組を『第１の番組』とし、ループ録画で録画予約されている番組を『第２の番組』としている。
【００３９】
図７は、一例としてステップＳ３において実行される処理を説明するフローチャートである。図７に示す処理により、検索条件で検索された番組のなかから第１の番組と、第２の番組とが特定される。
【００４０】
まず、ステップＳ３１では、システムコントローラ３０は、ループ録画の録画条件を取得する。例えば、システムコントローラ３０は、フラッシュメモリに記録されているループ録画の録画条件である『チャンネル番号』、『番組タイトル』、『録画時間帯』を取得する。
【００４１】
ステップＳ３２では、システムコントローラ３０は、録画候補番組表から、参照ＩＤの属性情報を取得する。まずは、システムコントローラ３０は、参照ＩＤの初期値（図６では、『０』）に対応する属性情報を取得する。
【００４２】
ステップＳ３３では、システムコントローラ３０は、ループ録画の録画条件と属性情報とを比較し、属性情報がループ録画の録画条件に含まれる場合（ステップＳ３３：ＹＥＳ）、ステップＳ３４では、この参照ＩＤに対応する番組の録画候補番組表での順序を、参照ＩＤの後方に並び代える。例えば、ループ録画の録画条件として『チャンネル』が登録されおり、参照ＩＤにかかる番組の『チャンネル番号』がループ録画の録画条件の『チャンネル番号』と同じであれば、この番組の録画候補番組表での順序（参照ＩＤ）を最後にする。
また、ループ録画の録画条件として『放送時刻』が登録されており、参照ＩＤにかかる番組の『放送時刻』がループ録画の録画条件の『放送時刻』に含まれる場合、この番組の録画候補番組表での順序（参照ＩＤ）を最後にする。
一方、参照ＩＤにかかる番組の属性情報がループ録画の録画条件に含まれない場合（ステップＳ３３：ＮＯ）、システムコントローラ３０は、ステップＳ３５に進む。
【００４３】
ステップＳ３５では、システムコントローラ３０は、現在参照している参照ＩＤが参照ＩＤの総数（図６では、参照ＩＤ＝『３』）に達しているか否かを判断する。参照ＩＤが総数でなければ（ステップＳ３５：ＮＯ）、ステップＳ３６では、システムコントローラ３０は、参照ＩＤに１をプラスして参照する参照ＩＤを変更し、ステップＳ３１〜Ｓ３５の処理を繰返す。そのため、属性情報がループ録画の録画条件に含まれる番組は、参照ＩＤが後の順序となり、属性情報がループ録画の録画条件に含まれない番組は、参照ＩＤが前の順序となる。
一方、参照ＩＤが総数であれば（ステップＳ３５：ＹＥＳ）、システムコントローラ３０は、ステップＳ４に進む。
【００４４】
図４のステップＳ４では、録画候補番組表の参照番組（参照ＩＤ）が存在するため（ステップＳ４：ＹＥＳ）、システムコントローラ３０は、ステップＳ５に進む。
ステップＳ５では、システムコントローラ３０は、録画候補番組表の参照する参照ＩＤの属性情報を取り出す。まずは、システムコントローラ３０は、参照ＩＤが初期値（図６では、『０』）となる番組の属性情報を取り出す。
【００４５】
ステップＳ６では、システムコントローラ３０は、ステップＳ５で取り出された属性情報と、ループ録画の録画条件とを比較し、参照される番組が、ループ録画の録画候補となっているか否かを判断する。
【００４６】
属性情報がループ録画の録画条件に含まれない場合（すなわち、番組がループ録画の録画候補となっていない）（ステップＳ６：ＮＯ）、システムコントローラ３０は、ステップＳ７に進む。ステップＳ７では、システムコントローラ３０は、録画上限を超えていなければ（ステップＳ７：ＹＥＳ）、ステップＳ８では、システムコントローラ３０は参照する番組をおまかせ録画で録画予約する。
ここで、録画上限は、録画可能判定手段３０３による判断結果をもとに判断される。
【００４７】
ステップＳ９では、システムコントローラ３０（録画可能判定手段３０３）は、録画上限を更新する。例えば、システムコントローラ３０は、記録用メモリ２０の記録可能容量から録画予約された番組の情報量を引くことで記録可能容量を更新する。番組の情報量は、管理テーブルに記録された情報を参照する。演算後の記録用メモリ２０の記録可能容量が閾値Ｔ１以上であれば、システムコントローラ３０は番組の録画予約が可能であると判断する。一方、演算後の記録用メモリ２０の記録可能容量が閾値Ｔ１未満であれば、システムコントローラ３０は番組の録画予約が不可能であると判断する。
また、録画上限を録画予約した番組数でカウントしている場合、システムコントローラ３０は録画予約された番組数に１をプラスする。
【００４８】
そして、ステップＳ１０では、システムコントローラ３０は、録画候補番組表の参照ＩＤに１をプラスして参照対象となる参照ＩＤを変更し、ステップＳ４からＳ９の処理を繰返す。
【００４９】
その後、ステップＳ６において、属性情報とループ録画の録画条件とが一致していれば（すなわち、参照する番組がループ録画の候補となっている）（ステップＳ６：ＹＥＳ）、システムコントローラ３０は、ステップＳ１１に進む。そのため、録画候補番組表において、おまかせ録画の録画予約のみが行われる番組（第１の番組）に対して録画予約にかかる設定が優先して行なわれたことになる。
【００５０】
ステップＳ１１では、システムコントローラ３０は、参照する参照ＩＤが存在していれば（ステップＳ１１：ＹＥＳ）、ステップＳ１２では、録画上限を超えているか否かを判断する。例えば、録画上限の判断が、記録用メモリ２０の録画可能容量をもとに判断される場合、このステップＳ１２では、ステップＳ９と同様、永続記録領域における録画可能容量が判断される。
【００５１】
録画上限を超えていなければ（ステップＳ１２：ＹＥＳ）、ステップＳ１３では、システムコントローラ３０は、参照ＩＤに対応する番組をおまかせ録画で録画予約する。この第１の実施形態では、ステップＳ１３における録画予約では、番組の録画モードをおまかせ録画の録画条件で設定された条件と比べて情報量が低いモードとなるよう設定する。例えば、録画条件が『高画質』で設定されている場合は、『通常』に変更することで、録画する番組の情報量を低くする。すなわち、重複して録画される番組においては、情報量を減少させることで、記録用メモリの容量を効率的に利用することができる。
【００５２】
一方、録画上限をこえていれば（ステップＳ１２：ＮＯ）、ステップＳ１４では、システムコントローラ３０は、参照ＩＤに該当する番組をおまかせ録画では録画予約しない。すなわち、この番組に対しては、システムコントローラ３０（第１の録画予約手段３０１）によりループ録画で録画予約される。
【００５３】
ステップＳ１５では、システムコントローラ３０は、録画上限を更新する。そして、ステップＳ１６では、システムコントローラ３０は、参照ＩＤに１をプラスして参照対象となる参照ＩＤを変更する。そして、候補番組表の参照ＩＤの最終番まで処理を繰返す（図６では、参照ＩＤ＝『３』）。そして、システムコントローラ３０は、参照ＩＤが存在しない場合（参照ＩＤが総数を超えた場合）（ステップＳ１１：ＮＯ）、おまかせ録画の録画予約を終了する。
【００５４】
以上説明したようにこの第１の実施形態では、第１の録画予約と第２の録画予約とで同じ番組が重複して録画予約される場合に、第２の録画予約のみの対象となる番組の録画予約を優先させることができ、ユーザの嗜好に合った番組を効率よく録画することができる。
また、ユーザの嗜好を反映させた第２の録画予約で検索した番組がループ録画のみで録画されてしまうことで、所定期間の経過後に消去されてしまうのを抑制することができる。
さらに、第１の録画予約と第２の録画予約とで重複して録画される番組の情報量を減少させることで、記録部の容量を効率よく使用することが可能となる。
【００５５】
２．第２の実施形態：
この第２の実施形態では、おまかせ録画とループ録画とで重複して録画予約される番組の数が多い場合に、ユーザに通知を行う構成が第１の実施形態と異なる。
【００５６】
図８は、第２の実施形態において、一例としてステップＳ３において実行される処理を説明するフローチャートである。図８は、図４のステップＳ３で実行される処理であるため、図４を流用して説明を行う。
【００５７】
図８のステップＳ１３１では、システムコントローラ３０は、ループ録画の録画条件を取得する。また、ステップＳ１３２では、システムコントローラ３０は、録画候補番組表から、現在参照している参照ＩＤの属性情報を取得する。
【００５８】
ステップＳ１３３では、システムコントローラ３０は、ループ録画の録画条件と参照ＩＤにかかる属性情報とを比較し、属性情報がループ録画の録画条件に含まれる場合（ステップＳ１３３：ＹＥＳ）、ステップＳ１３４では、参照ＩＤにかかる番組の録画候補番組表での順序（参照ＩＤ）を、参照ＩＤの後方に並び代える。そして、ステップＳ１３５では、システムコントローラ３０は、カウント関数に１をプラスする。カウント関数は、おまかせ録画とループ録画とに重複する番組の数を示す関数である。
一方、参照番組の属性情報がループ録画の録画条件に含まれない場合（ステップＳ１３３：ＮＯ）、システムコントローラ３０は、ステップＳ１３６に進む。
【００５９】
ステップＳ１３６では、システムコントローラ３０は、参照ＩＤが総数（図６では、参照ＩＤ＝『３』）に達しているか否かを判断する。参照ＩＤが総数でなければ（ステップＳ１３６：ＮＯ）、ステップＳ１３７では、システムコントローラ３０は、参照ＩＤに１をプラスして参照ＩＤを変更し、ステップＳ１３１〜Ｓ１３６の処理を繰返す。
一方、参照ＩＤが総数であれば（ステップＳ１３６：ＹＥＳ）、システムコントローラ３０は、ステップＳ１３８に進む。
【００６０】
ステップＳ１３８では、システムコントローラ３０は、カウント関数の値（すなわち、おまかせ録画とループ録画で重複する番組の数）が閾値Ｔ２以上であれば（ステップＳ１３８：ＹＥＳ）、ステップＳ１３９に進み、通知を行う。閾値Ｔ２は、録画予約が重複する番組を示す数である。ステップＳ１３８の処理により、システムコントローラ３０は、通知手段を実現する。
【００６１】
図９は、ステップＳ１３９において画面に表示される通知画面を示す図である。図９に示す通知画面４００では、おまかせ録画とループ録画とで録画予約が重複する番組の属性情報（番組タイトル、放送時間等）が表示される。また、通知画面４００には、録画設定を変更することを示す文字列が表示される。そのため、例えば、ユーザはこの通知画面４００を参照して、ループ録画の録画条件を変更したり、おまかせ録画の録画条件を変更したり、することになる。また、録画予約が変更された場合に、変更後の変更を通知してもよい。
【００６２】
図４のステップＳ４に戻り、おまかせ録画の録画予約が行われる。また、ユーザが図９に示す通知画面４００を参照してループ録画の録画条件を変更した場合、図４のステップＳ４以下の処理は、変更後のループ録画の録画条件をもとに実施される。
例えば、ループ録画の録画条件として、チャンネル『ＣＨ１』、『ＣＨ２』、『ＣＨ３』が設定され、おまかせ録画の条件として『ＣＨ２』が設定されている場合を想定する。ユーザが通知画面４００を参照して、ループ録画の録画条件を『ＣＨ４』に変更したものとする。そのため、ループ録画ではおまかせ録画と録画予約が重複する『ＣＨ２』の番組を録画せず、『ＣＨ４』の番組を録画する。その結果、記録用メモリ２０に記録される番組の数が録画予約の変更をしなかった場合と比べて多くなる。すなわち、この第２の実施形態では、重複する番組予約を解消することで、多くの異なる番組を録画することが可能となり、記録用メモリ２０を有効に活用することができる。
【００６３】
３．第３の実施形態：
おまかせ録画で検索された番組が、ループ録画ですでに録画されている場合に、録画済みの番組を、消去されないよう保存するものであってもよい。
図１０は、第３の実施形態において、第２の録画予約手段３０２により実行されるおまかせ録画を説明するフローチャートである。
【００６４】
ステップＳ１０１では、システムコントローラ３０は、おまかせ録画の予約設定画面を表示して、ユーザから検索条件の入力を受付ける。
次に、ステップＳ１０２では、システムコントローラ３０は、ステップＳ１０１において、予約設定画面を用いて入力された検索条件をもとに、該当する番組を未来番組表から検索する。
【００６５】
ステップＳ１０３では、システムコントローラ３０は、検索条件をもとに、該当する番組を過去番組表から抽出する。過去番組表は、番組表処理部１４がすでに録画した番組の番組情報をもとに作成する。すなわち、この第３の実施形態では、録画済みの番組においてもおまかせ録画の録画条件に該当する番組を検索する。検索された番組は、録画候補番組表に記録される。
【００６６】
ステップＳ１０４では、システムコントローラ３０は、ステップＳ１０２およびＳ１０３で検索した番組の中から、第１の番組と、第２の番組とをそれぞれ特定する。この第３の実施形態では、おまかせ録画のみの録画候補となる番組を『第１の番組』とし、おまかせ録画と録画済みおよび録画前のループ録画のいずれにも該当する番組を『第２の番組』としている。
【００６７】
図１１は、ステップＳ１０４において、検索条件に合致した番組群を記録する録画候補番組表を示す図である。図１１に示す録画候補番組表には、各番組を識別するための『参照ＩＤ』、番組の情報である『属性情報』が記録されている。図１２では、録画候補番組表には、おまかせ録画のみの録画候補となる２つの番組（参照ＩＤ＝０、１）と、おまかせ録画とループ録画との録画候補となる２つの番組（参照ＩＤ＝２、３）と、おまかせ録画の録画候補に該当し、かつすでにループ録画で録画されている１つの番組（参照ＩＤ＝４）と、が記録されている。また、『属性情報』には、『番組タイトル』、『チャンネル番号』、『放送時間』、『ジャンル』に加えて、録画済み（『１』）が録画前（『０』）かを示す情報が付与されている。すなわち、図１１では、参照ＩＤ４に該当する番組が検索条件をもとに過去番組表から検索された番組である。なお、図１１では、各番組の並び換え後のものを示している。
【００６８】
ステップＳ１０５では、録画候補番組表の番組（参照ＩＤ）が存在するため（ステップＳ１０５：ＹＥＳ）、システムコントローラ３０は、ステップＳ１０６に進む。
ステップＳ１０６では、システムコントローラ３０は、録画候補番組表の該当する参照ＩＤの属性情報を取り出す。まずは、システムコントローラ３０は、参照ＩＤが初期値（図６では、『０』）となる番組の属性情報を取り出す。
【００６９】
ステップＳ１０７では、システムコントローラ３０は、ステップＳ１０６で取り出された属性情報と、ループ録画の録画条件とを比較し、参照する番組が、録画前の番組でありかつループ録画の録画候補に該当しないか判断する。
【００７０】
属性情報がループ録画の録画予約の条件に含まれなければ（すなわち、番組がループ録画の録画候補となっていない）（ステップＳ１０７：ＹＥＳ）、システムコントローラ３０は、ステップＳ１０８に進む。ステップＳ１０８では、システムコントローラ３０は、録画上限を超えていなければ（ステップＳ１０８：ＹＥＳ）、ステップＳ１０９では、システムコントローラ３０は参照ＩＤに該当する番組をおまかせ録画で録画予約する。
【００７１】
ステップＳ１１０では、システムコントローラ３０は、録画上限を更新する。
そして、ステップＳ１１１では、システムコントローラ３０は、録画候補番組表の参照ＩＤに１をプラスして参照する参照ＩＤを変更し、ステップＳ１０５からＳ１１０の処理を繰返す。
【００７２】
その後、ステップＳ１０７において、参照する番組がループ録画の候補に該当する場合（ステップＳ１０７：ＮＯ）、システムコントローラ３０は、ステップＳ１１２に進む。すなわち、録画候補番組表において、おまかせ録画のみの対象となる番組（第１の番組）に対して優先して録画予約にかかる設定が行なわれたことになる。
【００７３】
ステップＳ１１２では、システムコントローラ３０は、参照ＩＤが存在していれば（ステップＳ１１２：ＹＥＳ）、ステップＳ１１３に進む。
ステップＳ１１３では、参照した番組が録画済み番組であれば（ステップＳ１１３：ＹＥＳ）、ステップＳ１１８では、システムコントローラ３０は、この番組が記録されている記録領域（ループ記録領域）を、ＰＶＲ記録領域２０２に変更する。すなわち、番組の記録先が変更されることで、この番組がおまかせ録画で録画されたこととなる。
【００７４】
一方、参照した番組が録画前の番組であれば（ステップＳ１１３：ＮＯ）、システムコントローラは、ステップＳ１１４に進み、録画上限を超えているか否かを判断する。
録画上限を超えていなければ（ステップＳ１１４：ＹＥＳ）、ステップＳ１１５では、システムコントローラ３０は、この番組をおまかせ録画で録画予約する。そして、ステップＳ１１６では、システムコントローラ３０は録画上限を更新して、ステップＳ１１９に進む。
【００７５】
また、録画上限をこえていれば（ステップＳ１１４：ＮＯ）、ステップＳ１１７では、システムコントローラ３０は、この番組をループ録画で録画予約する。すなわち、この番組に対しては、おまかせ録画はおこなわれず、ループ録画のみが実行される。
ステップＳ１１６では、システムコントローラ３０は、録画上限を更新する。
【００７６】
ステップＳ１１９では、システムコントローラ３０は、参照ＩＤに１をプラスして参照する参照ＩＤを変更する。そして、候補番組表の参照ＩＤの総数まで処理を繰返す（図１１では、参照ＩＤ＝『４』）。そして、システムコントローラ３０は、参照ＩＤが存在しない場合（参照ＩＤが総数を超えた場合）（ステップＳ１１２：ＮＯ）、処理を終了する。
【００７７】
以上説明したようにこの第３の実施形態では、ループ録画で録画済みの番組に対しても、おまかせ録画の対象とすることができるため、おまかせ録画の録画予約を行うタイミングに限らず、本発明を適用することができる。
【００７８】
４．第４の実施形態：
おまかせ録画で検索された番組のうち、おまかせ録画で録画されずループ録画により録画される番組の画質をおまかせ録画の画質で録画するよう録画予約するものであってもよい。
【００７９】
図１２は、第５の実施形態において、システムコントローラ３０が実行する処理を示すフローチャートである。図１２に示す処理は、例えば、図４のステップＳ１４において実行される処理であるため、図４を流用して説明を行う。
【００８０】
図４のステップＳ６において、参照ＩＤの属性情報がループ録画の録画条件に含まれていれば（すなわち、参照する番組がループ録画の候補となっている）（ステップＳ６：ＮＯ）、システムコントローラ３０は、ステップＳ１１に進む。以下、おまかせ録画の録画予約とループ録画の録画予約のいずれにも重複する番組（第２の番組）に対して録画予約が行われる。
【００８１】
図４のステップＳ１２において、録画上限を超えていなければ（ステップＳ１２：ＹＥＳ）、システムコントローラ３０は、番組をおまかせ録画の録画条件で録画予約する。一方、録画上限をこえていれば（ステップＳ１２：ＮＯ）、ステップＳ１４では、システムコントローラ３０は、参照ＩＤに該当する番組をおまかせ録画では録画予約せず、ループ録画の録画条件で録画予約する。
【００８２】
そして、図１２のステップＳ１４１では、ループ記録領域２０１の記録残量が閾値Ｔ３以上であれば（ステップＳ１４１：ＹＥＳ）、システムコントローラ３０は、ステップＳ１４２に進む。また、ステップＳ１４２では、システムコントローラ３０は、おまかせ録画の画質設定を取得し、ループ録画の録画予約画質設定を取得した画質設定に変更する。そして、ステップＳ１４３では、システムコントローラ３０は、変更されたループ録画の録画条件を用いて、番組を録画予約する。
【００８３】
一方、ループ記録領域２０１の記録残量が閾値Ｔ３未満であれば（ステップＳ１４１：ＮＯ）、システムコントローラ３０は、ステップＳ１４３に進む。すなわち、システムコントローラ３０は、ループ録画の画質設定を変更することなく番組を録画予約する。
【００８４】
以上説明したようにこの第４の実施形態では、おまかせ録画により録画できない番組が存在する場合でも、おまかせ録画の条件でループ録画の録画予約を行うことで、この番組をユーザが所望する画質で保存することができる。例えば、ループ録画で録画後の番組を外部メモリにダビングする場合に、高い画質で番組のダビングを行うことができる。
【００８５】
５．その他の実施形態：
おまかせ録画やループ録画の録画予約の条件は、上記した実施形態のものに限定されず、録画予約を設定できるものであればどのようなものであってもよい。
【００８６】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【符号の説明】
【００８７】
１０…録画装置、１１…チューナー部、１２…エンコーダー、１３…録画再生制御部、１４…番組表処理部、１５…デコーダー、１６…通信Ｉ／Ｆ、１７…リモコン受信部、２０…記録用メモリ、３０…システムコントローラ、５０…表示装置、１３１…ループ記録制御部、１３２…ＰＶＲ記録制御部、１３３…再生部、２０１…ループ記録領域、２０２…ＰＶＲ記録領域、２５０…予約設定画面、３０１…第１の録画予約手段、３０２…第２の録画予約手段、３０３…録画可能判定手段、４００…通知画面
【図１】
2015204500.tif 000003
【図２】
2015204500.tif 000004
【図３】
2015204500.tif 000005
【図４】
2015204500.tif 000006
【図５】
2015204500.tif 000007
【図６】
2015204500.tif 000008
【図７】
2015204500.tif 000009
【図８】
2015204500.tif 000010
【図９】
2015204500.tif 000011
【図１０】
2015204500.tif 000012
【図１１】
2015204500.tif 000013
【図１２】
2015204500.tif 000014